(57)【要約】【課題】排水性を向上でき、しかも、コンテナの構造が複雑にならない移動販売車用コンテナおよび、かかる移動販売車用コンテナを備えた移動販売車を提供する。【解決手段】側面１１ｓに開口１１ｗが形成されたコンテナ本体１１と、コンテナ本体１１の開口１１ｗに設けられた上方に開くドア１３と、コンテナ本体１１の上面１１ｕから排水する排水機構１５と、を備えており、排水機構１５は、コンテナ本体１１の上面外縁に沿って形成された樋部１６と、上端開口が樋部１６の底面１６ａに設けられ下端開口がコンテナ本体１１の下部に設けられた竪樋部１７と、を備えている。コンテナ本体１１の上面１１ｕに降った雨水は、排水機構１５の樋部１６を流れて、竪樋部１７から排出されるから、コンテナ本体１１の側面１１ｓを伝って雨水がコンテナ本体１１内に入ることを抑制することができる。【選択図】図１
2017035988.tif 000002
【特許請求の範囲】
【請求項１】
側面に開口が形成されたコンテナ本体と、
該コンテナ本体の開口に設けられた上方に開くドアと、
該コンテナ本体の上面から排水する排水機構と、を備えており、
前記排水機構は、
該コンテナ本体の上面外縁に沿って形成された樋部と、
上端開口が該樋部の底面に設けられ下端開口が該コンテナ本体の下部に設けられた竪樋部と、を備えている
ことを特徴とする移動販売車用コンテナ。
【請求項２】
前記竪樋部の上端開口は、
前記樋部における車両後方に配設されている
ことを特徴とする請求項１記載の移動販売車用コンテナ。
【請求項３】
前記コンテナ本体の上面には、該コンテナ本体の中央部から外縁に向かって下傾した連結面が設けられており、
前記樋部が、
前記連結面と、
該コンテナ本体の外縁に形成された壁部材と、
該壁部材の下端部と前記連結面との間を連結する底部と、を備えている
ことを特徴とする請求項１または２記載の移動販売車用コンテナ。
【請求項４】
前記コンテナ本体が、
中空な鋼管によって形成されたフレームを備えており、
前記竪樋部が、
前記フレームにおける縦フレーム内に設けられている
ことを特徴とする請求項１、２または３記載の移動販売車用コンテナ。
【請求項５】
請求項１乃至４のいずれかに記載の移動販売車用コンテナを備えている
ことを特徴とする移動販売車。
【発明の詳細な説明】
【技術分野】
【０００１】
本発明は、移動販売車用コンテナおよび移動販売車に関する。
【背景技術】
【０００２】
山間部や遠隔地等ではスーパーなどが少なく、食品や日用品などの買い物のために自家用車や公共交通手段を利用して離れたスーパーなどまで出かけなければならないという状況がある。このような状況を改善するために、従来、食品や日用品などを積載した移動販売車による販売が行われてきた。
【０００３】
近年では、スーパーの超大型化や郊外化が進んでおり、山間部や遠隔地等でなくても近所にスーパーなどが無い地域が増えており、日常の買い物に不便する人たちが増えきている。かかる事情もあり、食品や日用品などの移動販売車による販売地域が広がっており、移動販売車の需要も伸びつつある。
【０００４】
かかる移動販売車は、通常、車両の後部に食品や日用品などが収容されるコンテナを備えており、このコンテナがスーパーの陳列棚として機能するようになっている。
【０００５】
例えば、コンテナは、矩形の箱型に形成されており、そのコンテナの側面には扉が設けられている。このコンテナの内部には、食品や日用品などを収容した棚が設けられているので、扉を開くと、コンテナが陳列棚となる。
【０００６】
かかるコンテナの扉の形態は種々ある。例えば、観音開きに開くタイプや、上方に開くタイプ、また、上下に開くタイプ等がある。とくに、上下に開くタイプは、上方に開いた扉が庇の役割を果たし、下方に開いた扉が商品を陳列するテーブルとして使用できるので、便利である。
【０００７】
ところで、かかる移動販売車による販売は天候に係わらず運営されるので、雨の日には、雨水による商品の損傷を防ぐことが必要になる。扉が上方に開くタイプや上下に開くタイプの場合、上方に開いた扉が雨除けになる。したがって、扉を開いてしまえば、ある程度の雨であれば、雨水が降りかかって商品が濡れることを防ぐことができるし、客も傘をたたんだ状態でも買い物ができる。
【０００８】
しかし、雨のときには、コンテナの屋根に降った雨水がコンテナの壁面を伝って流れ落ちる。かかる雨水は、上方に開いた扉でも防ぐことができず、壁面を伝って流れた雨水がコンテナ内に入ってしまう可能性がある。
【０００９】
かかる問題を解決する方法として、特許文献１に記載の技術が開発されている。この特許文献１には、上下に開く扉を備えた車両コンテナにおいて、ドアを開いた際に形成される車体側開口部の上縁に沿って第１の樋を配設した技術が開示されている。しかも、特許文献１の技術では、ドア側上縁に沿って第２の樋を設けており、この第２の樋がドアを開いた際に第１の樋の上方に先端が延出するようになっている。
【００１０】
そして、特許文献１には、上述した第１および第２の樋を設けることによって、コンテナルーフから流れ落ちる雨水等がドアとコンテナ壁面との隙間を通して流れ落ちる虞がなくなると記載されている。
【先行技術文献】
【特許文献】
【００１１】
【特許文献１】特開２００２−９６６３９号公報
【発明の概要】
【発明が解決しようとする課題】
【００１２】
たしかに、特許文献１の構造を採用すれば、コンテナルーフから流れ落ちる雨水等を樋によって受け止めることができる可能性がある。
【００１３】
しかし、ドアに樋を設けることによってドア等の構造が非常に複雑になる。また、ドアの可動部分に樋が設けられているので、ドアの開閉に伴って樋が損傷する可能性が高い。
【００１４】
さらに、屋根から流れ落ちる雨水とドアに降り注いた雨水の両方を第１の樋だけで排水しなければならないので、少し雨が強くなるだけで、樋から雨水が溢れてしまう可能性がある。
【００１５】
本発明は上記事情に鑑み、排水性を向上でき、しかも、コンテナの構造が複雑にならない移動販売車用コンテナおよび、かかる移動販売車用コンテナを備えた移動販売車を提供することを目的とする。
【課題を解決するための手段】
【００１６】
第１発明の移動販売車用コンテナは、側面に開口が形成されたコンテナ本体と、該コンテナ本体の開口に設けられた上方に開くドアと、該コンテナ本体の上面から排水する排水機構と、を備えており、前記排水機構は、該コンテナ本体の上面外縁に沿って形成された樋部と、上端開口が該樋部の底面に設けられ下端開口が該コンテナ本体の下部に設けられた竪樋部と、を備えていることを特徴とする。
第２発明の移動販売車用コンテナは、第１発明において、前記竪樋部の上端開口は、前記樋部における車両後方に配設されていることを特徴とする。
第３発明の移動販売車用コンテナは、第１または第２発明において、前記コンテナ本体の上面には、該コンテナ本体の中央部から外縁に向かって下傾した連結面が設けられており、前記樋部が、前記連結面と、該コンテナ本体の外縁に形成された壁部材と、該壁部材の下端部と前記連結面との間を連結する底部と、を備えていることを特徴とする。
第４発明の移動販売車用コンテナは、第１、第２または第３発明において、前記コンテナ本体が、中空な鋼管によって形成されたフレームを備えており、前記竪樋部が、前記フレームにおける縦フレーム内に設けられていることを特徴とする。
第５発明の移動販売車は、第１乃至第４発明のいずれかに記載の移動販売車用コンテナを備えていることを特徴とする。
【発明の効果】
【００１７】
第１発明によれば、ドアを開けば、ドアが庇代わりとなって、コンテナ内に雨が振り込むことを防ぐことができる。そして、コンテナ本体の上面に降った雨水は、排水機構の樋部を流れて、竪樋部から排出される。すると、コンテナ本体の上面から側面に雨水が流れないので、コンテナ本体の側面を伝って雨水がコンテナ内に入ることを抑制することができる。しかも、樋部は可動部等を有しないコンテナ本体の上面に設けられているので、樋部を設けても、コンテナ本体の構造が複雑化することがない。そして、排水機構を設けても、コンテナ本体やドアの構造が簡素化されており、コンテナ本体が小型軽量になるから、コンテナ本体を軽トラックなどの小型車両に搭載しやすくなる。
第２発明によれば、車両の走行中でも、樋内の水を竪樋部に排水しやすくなる。
第３発明によれば、コンテナ本体上面の雨水を樋部に集めやすくなる。また、壁部材を設けたことによって樋部に保持しておくことができる水の量を多くできるので、樋部からコンテナ本体の側面に水が溢れることを防ぐことができる。
第４発明によれば、竪樋部を配設するために特別なスペースを設けなくてもよいので、コンテナ本体の構造を簡素化することができる。
第５発明によれば、販売する商品が雨水などによって損傷することを防ぐことができる。また、コンテナの構造が小型軽量になっているので、車両自体も小型軽量化することができる。
【図面の簡単な説明】
【００１８】
【図１】本実施形態の移動販売車用コンテナ１０を搭載した移動販売車１の概略斜視図である。
【図２】（Ａ）は本実施形態の移動販売車用コンテナ１０の概略側面図であり、（Ｂ）は本実施形態の移動販売車用コンテナ１０の背面図である。
【図３】本実施形態の移動販売車用コンテナ１０の概略平面図である。
【図４】本実施形態の移動販売車用コンテナ１０の後方のドア１３を開いた状態の概略側面図である。
【図５】本実施形態の移動販売車用コンテナ１０の側方のドア１３を開いた状態の概略背面図である。
【図６】図４のＶＩ−ＶＩ線断面図である。
【図７】図５のＶＩＩ−ＶＩＩ線断面図である。
【図８】本実施形態の移動販売車用コンテナ１０のドア１３を開いた状態の概略斜視図である。
【発明を実施するための形態】
【００１９】
本発明の移動販売車用コンテナは、移動販売車に搭載されるコンテナであって、商品を収容しておくことができるものである。とくに、雨天などに販売する際に、コンテナ内の商品が雨水等に濡れることを防ぐことができる構造としたことに特徴を有している。
【００２０】
本発明の移動販売車用コンテナに収容して販売される商品はとくに限定されない。例えば、一般的な食品（野菜や生魚など生鮮食品や加工食品等）や冷凍食品、日用品、衣料品等を挙げることができる。なお、生鮮食品や冷凍食品等を販売する場合には、冷蔵庫や冷凍庫等がコンテナ内に設けられる。
【００２１】
また、本発明の移動販売車用コンテナが搭載される車両もとくに限定されない。一般的なトラックの荷台に設置して移動販売車としてもよいし、軽トラックなどの荷台に設置して移動販売車としてもよい。とくに、軽トラックなどの荷台に本発明の移動販売車用コンテナを設置した場合には、移動販売車の活動範囲の自由度が高くなるという利点が得られる。
【００２２】
以下の説明では、本発明の移動販売車用コンテナを軽トラックなどの荷台に設置した移動販売車（つまり、本発明の移動販売車）とした場合を代表として説明する。
【００２３】
（本実施形態の移動販売車１）
図面に基づいて、本実施形態の移動販売車１を説明する。つまり、本実施形態の移動販売車用コンテナ１０を荷台に搭載した本実施形態の移動販売車１を説明する。
【００２４】
図１および図２において、符号２は本実施形態の移動販売車１の車両を示している。この車両２は一般的な軽トラックであり、その運転席後部に設けられた荷台に本実施形態の移動販売車用コンテナ１０が搭載されている。
【００２５】
図１〜図３、図８に示すように、本実施形態の移動販売車用コンテナ１０（以下、単に移動販売車用コンテナ１０という）は、中空な箱型に形成された構造物であるコンテナ本体１１を備えている。コンテナ本体１１の内部には、商品が陳列された棚や商品を収容する冷蔵庫や冷凍庫、また、単なる保管庫等が設けられている（図６〜図８参照）。このコンテナ本体１１の３方の側面１１ｓにはドア１３が設けられており、このドア１３を開けば、移動販売車用コンテナ１０を移動販売店舗として使用できる（図８参照）。
【００２６】
なお、ドア１３が設けられていない側面が車両の前方側に位置するように、移動販売車用コンテナ１０は車両２に搭載されている。
また、図１〜図３では、コンテナ本体１１が、鋼材からなる縦フレームＦｖおよび横フレームＦｈを備えたフレームＦを骨格として有する例を記載している。この場合、コンテナ本体１１の側面１１ｓのうち、開口１１ｗが形成された側面１１ｓは、実質的に、縦フレームＦｖおよび横フレームＦｈのみから構成されることになる。そして、移動販売車用コンテナ１０の側面は、実質的に、縦フレームＦｖおよび横フレームＦｈと、ドア１３によって形成されることになる。なお、コンテナ本体１１において、開口１１ｗが形成されていない側面では、縦フレームＦｖおよび横フレームＦｈと板状の部材によって側面１１ｓが形成される。
【００２７】
この移動販売車用コンテナ１０のドア１３は、以下のように構成されている。
図４、図５および図８に示すように、コンテナ本体１１の３つの側面１１ｓには、開口１１ｗが設けられておりこの開口１１ｗを塞ぐようにドア１３が設けられている。
【００２８】
ドア１３は、上部ドア１３ａと下部ドア１３ｂとから形成されている。そして、上部ドア１３ａおよび下部ドア１３ｂを上下に揺動させれば、側面１１ｓの開口１１ｗを開閉できるようになっている。
【００２９】
具体的には、上部ドア１３ａは、上端縁がヒンジ部材によってコンテナ本体１１に連結されている。つまり、上部ドア１３ａは、その下端部が上下に揺動できるようになっている。そして、上部ドア１３ａは、その下端部を上方に揺動させると、コンテナ本体１１の開口１１ｗが開き（図４〜図８参照）、その下端部を下方に揺動させると、コンテナ本体１１の開口１１ｗを閉じることができるようになっている（図１、図２、図４、図５参照）。
【００３０】
また、下部ドア１３ｂは、下端縁がヒンジによってコンテナ本体１１に連結されている。つまり、下部ドア１３ｂは、その上端部が上下に揺動できるようになっている。そして、下部ドア１３ｂは、その上端部を下方に揺動させると、コンテナ本体１１の開口１１ｗが開き（図４〜図８参照）、その上端部を上方に揺動させると、コンテナ本体１１の開口１１ｗを閉じることができるようになっている（図１、図２、図４、図５参照）。
【００３１】
そして、図４〜図８に示すように、上部ドア１３ａとコンテナ本体１１との間には、ドアダンパー１３ｄが設けられている。このドアダンパー１３ｄは、伸縮可能であり、その両端が上部ドア１３ａとコンテナ本体１１に回動可能に連結されている。つまり、ドアダンパー１３ｄは、上部ドア１３ａの開閉に伴って伸縮するように設けられている。具体的には、ドアダンパー１３ｄは、上部ドア１３ａが開く方向に揺動すると伸長し、上部ドア１３ａが閉じる方向に揺動すると収縮するように設けられている。
【００３２】
また、図４〜図８に示すように、ドアダンパー１３ｄは、伸長させた状態を維持できる機能を有している。そして、ドアダンパー１３ｄは、伸長させた状態で維持した場合、上部ドア１３ａの下端縁が上端縁よりも若干下方に位置した状態となるように設置されている。つまり、上部ドア１３ａを開いてドアダンパー１３ｄを伸長させた状態に維持すると、上部ドア１３ａは、コンテナ本体１１から外方に向かって若干下傾するように取り付けられている。
【００３３】
そして、図４〜図８に示すように、下部ドア１３ｂとコンテナ本体１１との間には、下部ドア１３ｂの揺動を規制する規制部材１３ｆが設けられている。この規制部材１３ｆは、一定以上下方に揺動しないように、下部ドア１３ｂを吊り上げておくことができるものである。例えば、規制部材１３ｆには、チェーンやワイヤー、紐、屈曲可能に設けられたリンク機構等などを使用することができる。そして、規制部材１３ｆは、下部ドア１３ｂを開いたときに、その上面（つまり下部ドア１３ｂを閉じているときの内面）をほぼ水平に維持できるように設けられている。
【００３４】
以上のごとき構成であるので、ドアダンパー１３ｄによって上部ドア１３ａを開いた状態で保持し、規制部材１３ｆによって下部ドア１３ｂを水平に開いて保持すれば、移動販売車用コンテナ１０を移動販売店舗として使用できる。具体的には、ドア１３を開くことによって、開口１１ｗを通してコンテナ本体１１の内部の商品を見ることができるようになるので（図８参照）、客は、所望の商品を確認しながら買い物をすることができる。
【００３５】
しかも、下部ドア１３ｂの上面にも商品を並べることができるので、一般の店舗に近づけた状態で販売ができ、客も商品を身近に見ることができるので、買い物がしやすくなる。
【００３６】
また、上部ドア１３ａを開いた状態で保持すれば、上部ドア１３ａが庇として機能する。すると、商品に日差しや雨が直接当たることを防ぐことができるので、商品の損傷を防ぐことができる。また、客も、雨傘や日傘をたたんで買い物ができるようになるので、買い物がしやすくなる。
【００３７】
とくに、上部ドア１３ａは、ドアダンパー１３ｄによって開いた状態に保持されているときには、その上端縁よりもその下端縁が若干下方に位置した状態となるように維持される。すると、上部ドア１３ａに雨が降り注いでも、その雨水を上部ドア１３ａの先端（つまり下端縁）から排水できる。よって、上部ドア１３ａに降り注いだ雨水が、商品にかかることを防ぐことができる。
【００３８】
（排水機構１５）
ところで、一般的なコンテナの場合、雨が降ると、コンテナ本体１１の上面１１ｕに降った雨が、この上面１１ｕからコンテナ本体１１の側面１１ｓを伝って流れる。この雨水は、上部ドア１３ａを開いていれば、上部ドア１３ａがある部分では上部ドア１３ａの上面によって受け止められて上部ドア１３ａの先端から排出される。しかし、コンテナ本体１１の側面１１ｓにおいて、ドア１３が設けられていない部分（つまり縦フレームＦｖや横フレームＦｈだけがある部分）では、上部ドア１３ａを開いていても、雨水は側面１１ｓを伝って下方まで流れる。すると、コンテナ本体１１の側面１１ｓの開口１１ｗからコンテナ本体１１の内部に入ってしまう。
【００３９】
また、コンテナ本体１１の側面１１ｓを伝って流れる雨水は、ドア１３を開ける際に、コンテナ本体１１の側面１１ｓの開口１１ｗからコンテナ本体１１内部に入りやすい。とくに、コンテナ本体１１の上面１１ｕから側面１１ｓに雨水が流れているような状態では、そのような状況が発生しやすい。
【００４０】
そこで、本実施形態の移動販売車用コンテナ１０では、コンテナ本体１１の上面１１ｕの雨水を外部に排水する排水機構１５を設けている（図４参照）。より詳しく言えば、コンテナ本体１１の上面１１ｕの雨水等をコンテナ本体１１の下部から排水する構造を有する排水機構１５を設けている。
【００４１】
図３および図４に示すように、コンテナ本体１１の上面１１ｕの上面には、排水機構１５の樋部１６が設けられている。この樋部１６は、コンテナ本体１１の上面外縁に沿って形成されており、壁部１６ａと、底部１６ｂと、連結面１６ｃと、によって構成されている。
【００４２】
図３および図４のＹに示すように、壁部１６ａは、コンテナ本体１１の上面１１ｕの外端縁に沿って立設された壁状の部分である。この壁部１６ａの高さは、使用される環境などに合わせて調整すればよくとくに限定されない。例えば、コンテナ本体１１の上面１１ｕの外端縁から壁部１６ａの上端までの高さが、５〜２０ｍｍ程度の高さとなるように設けられる。
【００４３】
なお、壁部１６ａを設ける方法はとくに限定されない。例えば、コンテナ本体１１の上面１１ｕの外端縁に板状の部材を設置して壁部１６ａとすることができる。
【００４４】
連結面１６ｃは、コンテナ本体１１の上面１１ｕの中央部からコンテナ本体１１の上面１１ｕの外端縁に向かって下傾した面である。例えば、コンテナ本体１１の上面１１ｕの中央部が平坦面に形成されている場合には、その平坦面の周囲に連結面１６ｃは形成される。なお、コンテナ本体１１の上面１１ｕが全体的に外端縁に向かって下傾しているような場合には、その外周部分が連結面１６ｃに相当するものとなる。
【００４５】
底部１６ｂは、連結面１６ｃと壁部１６ａとの間に設けられた部分である。この底部１６ｂは、コンテナ本体１１の上面１１ｕの中央部や壁部１６ａの上端よりも低くなっている（図４のＹ参照）。つまり、コンテナ本体１１の上面１１ｕの中央部と壁部１６ａの間に、両者よりも下方に位置するように、底部１６ｂが設けられている。
【００４６】
樋部１６が以上のような構造であるので、コンテナ本体１１の上面１１ｕの上面に降った雨水を樋部１６に向かって流すことができ（図３の矢印参照）、雨水を樋部１６に集めることができる。
【００４７】
図３および図４に示すように、樋部１６において、車両後方の隅部には、底部１６ｂを貫通する貫通孔１６ｈが形成されている。この貫通孔１６ｈには、竪樋部１７の一端が連結されている。この竪樋部１７は、筒状の部材であり、コンテナ本体１１の内部に配設されており、その下端がコンテナ本体１１の底面から下方に突出している（図４参照）。つまり、竪樋部１７を介して、樋部１６は、コンテナ本体１１の下方の空間まで連通されている。
【００４８】
このような排水機構１５を設ければ、コンテナ本体１１の上面１１ｕに降った雨水は効率よくコンテナ本体１１の底部から排出できる。すると、コンテナ本体１１の側面１１ｓを伝って流れる雨水を少なくできるので、コンテナ本体１１の側面１１ｓを伝って雨水がコンテナ本体１１内に入ることを抑制することができる。
【００４９】
しかも、樋部１６は可動部等を有しないコンテナ本体１１の上面１１ｕに設けられているので、樋部１６を設けても、コンテナ本体１１の構造が複雑化することがない。
【００５０】
そして、コンテナ本体１１の側面１１ｓを伝って流れる雨水が少なくなれば、上部ドア１３ａの上端縁とコンテナ本体１１との連結部分に特別な構造を設けなくても、両者間の隙間から雨水が漏れることを防止できる。
【００５１】
つまり、本実施形態の移動販売車用コンテナ１０では、雨水を排水し雨水がコンテナ本体１１内に侵入することを防ぐ構造を簡素化できる。すると、コンテナ本体１１の構造を簡素化でき、また、コンテナ本体１１の重量も低減できるので、コンテナ本体１１を小型軽量にできる。したがって、本実施形態の移動販売車用コンテナ１０は小型車両（例えば、軽トラックなど）にも搭載できるようになる。
【００５２】
なお、連結面１６ｃは、コンテナ本体１１の上面１１ｕと底部１６ｂを繋ぐ面となっていればよく、必ずしもコンテナ本体１１の上面１１ｕや底部１６ｂに対して傾斜していなくてもよい。つまり、連結面１６ｃは、コンテナ本体１１の上面１１ｕや底部１６ｂと直交する面であってもよい。
【００５３】
（樋部１６の構造）
樋部１６は、雨水を集めて竪樋部１７に供給できるのであれば、必ずしも上述したような構成でなくてもよい。例えば、コンテナ本体１１の上面１１ｕに凹みを設けて、樋部１６としてもよい。しかし、上述したように、樋部１６が、上述したような傾斜した連結面１６ｃを有していれば、コンテナ本体１１の上面１１ｕの雨水を樋部１６に集めやすくなる。
【００５４】
また、樋部１６が壁部材１６ａを有していれば、樋部１６に保持しておくことができる雨水の量を多くできる。すると、一時的に多量の雨が降った場合でも、コンテナ本体１１の上面１１ｕ、つまり、樋部１６からコンテナ本体１１の側面１１ｓに水が溢れて流れることを防止する効果を高くできる。
【００５５】
なお、壁部材１６ａは、コンテナ本体１１の上面１１ｕの車両前方部には必ずしも設けなくてもよい（図１および図３参照）。コンテナ本体１１の車両前方部の側面には開口１１ｗがないからである。また、車両前方部に壁部材１６ａを設けない、または、車両前方部の一部に壁部材１６ａを設けない部分（図１および図３の１１ｅ参照）を形成すれば、車両の走行中などにおいて、ブレーキを掛けた場合のように前方に加速度が加わった場合には、コンテナ本体１１の上面１１ｕの雨水を車両前方部から排水できる。また、コンテナ本体１１の上面１１ｕを清掃するときにも、ゴミなどを車両前方部から排出することができるので、掃除が容易になる等の利点も得られる。
【００５６】
また、樋部１６において、貫通孔１６ｈを設ける位置（つまり竪樋部１７の上端開口の位置）はとくに限定されないが、樋部１６における車両後方に位置する部分に設けられていることが望ましい。かかる位置に設ければ、移動販売車１の走行中でも、樋部１６内の水を竪樋部１７に排水しやすくなる。つまり、移動販売車１の走行中には、気流などによって、樋部１６内の水は後方に流される。すると、貫通孔１６ｈが樋部１６における車両後方に配置されていれば、コンテナ本体１１の上面１１ｕに降った雨を、樋部１６と竪樋部１７を通して、走行中に排水しやすくなる。すると、移動販売車１が停止した後、竪樋部１７から排水される水を少なくできる。すると、竪樋部１７から排水される水によって移動販売する場所が水浸しになることもないので、客に不快感を与えることもない。
【００５７】
また、上述したように、車両後方の隅部に貫通孔１６ｈを設け、竪樋部１７もコンテナ本体１１の内部の隅部に配置すれば、樋部１６からスムースに雨水を排水することができる。そして、コンテナ本体１１内の配管構造も簡素化できるという利点も得られる。
【００５８】
とくに、コンテナ本体１１が、中空な鋼管等を組み合わせて形成されたフレームＦを有しているような場合には、フレームＦの縦フレームＦｖ内に竪樋部１７を配置することが望ましい。この場合、デッドスペースであるフレームＦの部分を有効に活用できるし、万が一竪樋部１７が破損した場合でも、コンテナ本体１１の内部に雨水などが漏れないという利点も得られる。なお、縦フレームＦｖ自体を竪樋部１７とすることも可能である。
【００５９】
なお、コンテナ本体１１がフレームＦを有していれば、上述したような利点に加えて、コンテナ本体１１自体の強度を高めることができるという点で好ましい。フレームＦを構成する部材は、中空な鋼管以外にも、Ｃチャンネル鋼やＨ鋼等を使用できるが、できるだけ軽量のものが好ましい。また、竪樋部１７は配置できるような空間を有しているものが望ましい。
【００６０】
（竪樋部１７について）
竪樋部１７は、外部から遮断された水を流すことができる流路を有する部材であれば、どのような部材でも使用することができる。例えば、一般的なビニール等の樹脂製のチューブやホース、塩ビ管などの管状部材などを、竪樋部１７として使用することができる。
【００６１】
（上部ドア１３ａおよび下部ドア１３ｂとコンテナ本体１１の連結について）
なお、上部ドア１３ａの上端縁とコンテナ本体１１との間を連結するヒンジ部材は、とくに限定されない。上部ドア１３ａを上下に揺動させることができ、上部ドア１３ａを揺動させても、上部ドア１３ａの上端縁とコンテナ本体１１の隙間ができない（または小さくできる）機構を有するものであればよい。
また、上部ドア１３ａは、閉じた時に、コンテナ本体１１に固定されるようになっていることが望ましい。上部ドア１３ａをコンテナ本体１１に固定する機構や方法は、上部ドア１３ａをコンテナ本体１１に対して固定解放可能に連結できるようになっていればよく、とくに限定されない。
【００６２】
下部ドア１３ｂの下端縁とコンテナ本体１１との間を連結するヒンジ部材は、上部ドア１３ａを上下に揺動させることができるものであれば、とくに限定されない。
また、下部ドア１３ｂは、閉じた時に、コンテナ本体１１に固定されるようになっていることが望ましい。下部ドア１３ｂをコンテナ本体１１に固定する機構や方法は、下部ドア１３ｂをコンテナ本体１１に対して固定解放可能に連結できるようになっていればよく、とくに限定されない。
【００６３】
さらに、上部ドア１３ａと下部ドア１３ｂの両方を閉じた時に、両者が連結されるようになっていてもよい。この場合には、上部ドア１３ａと下部ドア１３ｂを閉めた状態をより確実に維持することができる。両者を連結解除する方法はとくに限定されず、公知の方法を採用することができる。
【００６４】
（ドア１３の設置数について）
上記例では、コンテナ本体１１において、３つの各側面１１ｓに開口１１ｗを設けて、３つの各側面１１ｓにドア１３を設けている。しかし、開口１１ｗはコンテナ本体１１の１面だけまたはいずれか２面に形成して、その開口１１ｗにドア１３を設けるようにしてもよい。
【００６５】
（シールについて）
コンテナ本体１１の開口１１ｗの内面や、上部ドア１３ａおよび下部ドア１３ｂの端面には、ゴムなどのパッキンを設けてもよい。ドア１３は、コンテナ本体１１の開口１１ｗを開閉可能に設けられているので、上部ドア１３ａおよび下部ドア１３ｂを閉めた状態でも、上部ドア１３ａおよび下部ドア１３ｂの端縁とコンテナ本体１１の間には若干の隙間が形成される。一方、コンテナ本体１１の開口１１ｗの内面や上部ドア１３ａおよび下部ドア１３ｂの端面にゴムなどのパッキンを設ければ、上述したような隙間を埋めることができる。すると、コンテナ本体１１内部に外部から水などが侵入しないので、商品が雨水などによって損傷することを防ぐことができる。
【００６６】
また、雨水の侵入を防ぐ上では、上部ドア１３ａおよび下部ドア１３ｂの外面にもシール部材を設けることが望ましい。例えば、図４および図５に示すように、ドア１３の上部ドア１３ａおよび下部ドア１３ｂの側端縁には、側端縁に沿ってシール用プレート１３ｓが設けることが望ましい。具体的には、シール用プレート１３ｓを、一端は上部ドア１３ａおよび下部ドア１３ｂの側端縁に固定し、他端縁は上部ドア１３ａおよび下部ドア１３ｂの側端縁から側方まで延びた状態となるように取り付ける。すると、上部ドア１３ａおよび下部ドア１３ｂを閉じたときに、上部ドア１３ａおよび下部ドア１３ｂの側端縁とコンテナ本体１１の隙間をシール用プレート１３ｓによって覆うことができる。すると、上部ドア１３ａおよび下部ドア１３ｂの側端縁とコンテナ本体１１の隙間から雨水等がコンテナ本体１１の内部に侵入することを防ぐことができる。
【００６７】
しかも、図８に示すように、シール用プレート１３ｓは、その表面と上部ドア１３ａの表面との間に段差ができるように設けることが望ましい。かかる構成とすれば、上部ドア１３ａを開いた状態において、上部ドア１３ａの上を雨水が流れるときに、上部ドア１３ａの側端縁から雨水が垂れることを抑制することができる。すると、下部ドア１３ｂに載せられている商品に雨水がかかることを防止することができる。
【００６８】
さらに、上部ドア１３ａの下端縁にも、下端縁に沿ってシール用プレート１３ｓが設けることが望ましい。具体的には、シール用プレート１３ｓを、一端は上部ドア１３ａの下端縁に固定し、他端縁は上部ドア１３ａの下端縁から下方まで延びた状態となるように取り付ける。すると、上部ドア１３ａと下部ドア１３ｂを閉じたときに、上部ドア１３ａと下部ドア１３ｂの隙間をシール用プレート１３ｓによって覆うことができる。すると、上部ドア１３ａと下部ドア１３ｂの隙間から雨水等がコンテナ本体１１の内部に侵入することを防ぐことができる。
【産業上の利用可能性】
【００６９】
本発明の移動販売車用コンテナは、食料品や日用品などを販売する移動販売車のコンテナに適用している。
【符号の説明】
【００７０】
１      移動販売車
２      車両
１０      移動販売車用コンテナ
１１      コンテナ本体
１１ａ    側面
１１ｗ    開口
１１ｕ    上面
１１ｒ    連結面
１２      枠
１２ａ    縦枠
１２ｂ    横枠
１３      ドア
１３ａ    上部ドア
１３ｂ    下部ドア
１５      排水機構
１６      樋部
１６ａ    壁部
１６ｂ    底部
１６ｃ    連結面
１６ｈ    貫通孔
１７      竪樋部
Ｆ      フレーム
Ｆｖ    縦フレーム
Ｆｈ    横フレーム
【図１】
2017035988.tif 000003
【図２】
2017035988.tif 000004
【図３】
2017035988.tif 000005
【図４】
2017035988.tif 000006
【図５】
2017035988.tif 000007
【図６】
2017035988.tif 000008
【図７】
2017035988.tif 000009
【図８】
2017035988.tif 000010
【手続補正書】
【提出日】平成27年8月17日(2015.8.17)
【手続補正３】
【補正対象書類名】図面
【補正対象項目名】図１
【補正方法】変更
【補正の内容】
【図１】
2017035988.tif 000011
【手続補正４】
【補正対象書類名】図面
【補正対象項目名】図４
【補正方法】変更
【補正の内容】
【図４】
2017035988.tif 000012
【手続補正５】
【補正対象書類名】図面
【補正対象項目名】図５
【補正方法】変更
【補正の内容】
【図５】
2017035988.tif 000013
【手続補正６】
【補正対象書類名】図面
【補正対象項目名】図８
【補正方法】変更
【補正の内容】
【図８】
2017035988.tif 000014